(57)【特許請求の範囲】
【請求項１】
入力された設定値を解読する文書データ編集部と、
入力された設定値に基づきツメのイメージ、台紙のイメージを作成するイメージファイル編集部と、
前記イメージファイル編集部により作成されたツメのイメージや台紙のイメージを格納するデータ格納部と、
入力された設定値に基づき前記ツメのイメージと台紙のイメージを合成するイメージデータ合成部を具備し、
前記イメージファイル編集部により文書の区分毎にツメを作成するとともに、前記イメージデータ合成部によりこの作成したツメの台紙に対する位置を前記入力された設定値に基づき任意にかつ規則的に設定された位置に、前記文書の区分に応じて定めて、ツメと台紙を順次自動的に合成したことを特徴とする版下編集におけるツメのイメージ自動合成装置。
【請求項２】
前記台紙がトンボ付き台紙であることを特徴とする請求項１記載の版下編集におけるツメのイメージ自動合成装置。
【請求項３】
用紙の中央領域に文書を作成する文書作成機能を有する制御部を設け、
前記イメージデータ合成部によりツメ付き台紙と、前記文書とを文書の区分毎に自動的に順次合成したことを特徴とする請求項１記載の版下編集におけるツメのイメージ自動合成装置。
【請求項４】
用紙の中央領域に文書を作成する文書作成機能を有する制御部と、
文書の区分及びページと、ツメ付き台紙のイメージファイル名とを対比する管理領域を設け、
前記イメージデータ合成部は、この管理領域を参照して合成すべき文書とそれに対応するツメ付き台紙のイメージファイル名を認識し、合成すべき文書とそれに対応するツメ付き台紙とを合成したことを特徴とする請求項１記載の版下編集におけるツメのイメージ自動合成装置。
【請求項５】
前記ツメ付き台紙がツメ・トンボ付き台紙であることを特徴とする請求項４記載の版下編集におけるツメのイメージ自動合成装置。
【発明の詳細な説明】
【０００１】
【産業上の利用分野】
本発明は、書籍や説明書（以下マニアルという）等の版下編集におけるツメ付き台紙又はツメとトンボ付き台紙を自動的に合成する合成装置に関する。
【０００２】
【従来の技術】
書籍やマニアル等を印刷するとき、１枚の用紙に１頁ずつ印刷するということはあまりなく、例えば１枚の用紙に片面８頁分印刷している。このような場合、表面の８枚の刷下を並べて写真にとり、刷版を作り、これで印刷する。前記用紙の裏面も同様にして８頁分印刷されるので、１枚の用紙に表裏１６頁印刷される。そしてこれを折り畳み裁断する。この裁断するときに位置決めの印をつけることが必要であり、この印がトンボである。
【０００３】
またマニアル等では、例えば章の如き区分毎に紙の端部の同一位置にツメを付け、章毎の区別が外から容易にわかるように製本される。
従って、刷下を作る時に、図１２に示す如く、センター用のトンボＭ1 と隅部用のトンボＭ2 が予め印刷された台紙８０を用意し、これに０１章用のツメＰ1 を貼って０１章用の台紙８０−１とする。そして台紙８０に０１章用のツメＰ1 よりもずれた位置に０２章用のツメＰ2 を貼って０２章用の台紙８０−２とし、同じく０２章用のツメＰ2 よりもずれた位置に０３章用のツメＰ3 を貼って０３章用の台紙８０−３とする。なお図１２に示す台紙８０−１〜８０−３はいずれも右ページ用のものであり、同様に左ページ用の台紙も用意される。
【０００４】
次章のツメの貼る位置が下の方にない場合、再び上に戻ってツメを貼る。このようなことを繰り返して台紙８０−１、８０−２・・・を作成する。そしてすでに作成ずみの文書を、これらの各台紙８０−１、８０−２・・・に章対応に小さく切って貼り付け、刷下を作成していた。
【０００５】
【発明が解決しようとする課題】
従って従来では章の如き区分毎にツメの位置の異なる台紙を手により作成していたので、台紙の作成にかなりの手作業を必要とし、版下編集の期間短縮や自動化ができないという問題点があった。
【０００６】
従って、本発明の目的は、このような版下編集におけるツメとトンボを自動的に合成した自動合成装置を提供することである。
【０００７】
【課題を解決するための手段】
前記目的を達成するため、本発明では、図１に示す如く、文書データ編集部１と、イメージファイル編集部２と、第１データ格納部３−１と、イメージデータ合成部４と、第２データ格納部３−２を設ける。
【０００８】
文書データ編集部１は、例えばキーボード等の入力手段より台紙のサイズ、ツメの大きさ、ツメの間隔等のデータを受けるものであり、イメージファイル編集部２はこの文書データ編集部１から伝達されたデータに応じてトンボ付き台紙を作ったり、ツメを作るものである。
【０００９】
第１データ格納部３−１は、イメージファイル編集部２により作成されたトンボ付き台紙や、ツメを保持するものであり、第２データ格納部３−２はツメとトンボの付加されたツメ・トンボ付き台紙を保持するものである。そしてイメージデータ合成部４はトンボ付き台紙にツメを付加するものである。
【００１０】
【作用】
オペレータは先ずトンボ付き台紙作成用の作成画面を読み出し、台紙のサイズ、例えばＡ４を入力する。これによりイメージファイル編集部２が所定のサイズ、例えばＡ４のトンボ付き台紙Ｔを作成する。このようにしてイメージファイル編集部２により作成したトンボ付き台紙Ｔを予め決められたイメージファイル名例えば「Ａ４トンボ」を付加して第１データ格納部３−１に格納する。
【００１１】
次にオペレータはツメの作成画面を読み出し、イメージファイル編集部２によりツメのサイズ（縦長、横長）を入力し、必要に応じて網掛け処理又は横（縦）線処理を行い、ツメの原図を作り、例えば章に対応した番号を記入する。例えば第１章用のツメＮ1 に対しては数字１を記入して第１章用のツメのイメージを作成する。そしてこれに予め決められたイメージファイル名例えば「ツメ００１」を付加して第１データ格納部３−１に格納する。
【００１２】
このようにして、例えば第５章までのマニアルに対するものについては同様に数字２〜５の記入されたツメＮ2 〜Ｎ5 のイメージを作り、これに予め決められたイメージファイル名「ツメ００２」〜「ツメ００５」を付加して第１データ格納部３−１に格納する。
【００１３】
それからオペレータは、ツメとトンボ付き台紙のイメージファイルを結合するためのイメージファイル結合画面を読み出し、最初のツメの位置、ツメのピッチ、合成する章の番号、ツメの折り返し個数等を入力する。
【００１４】
これによりイメージデータ合成部４が予め決められたトンボ付き台紙Ｔのイメージファイル名「Ａ４トンボ」と、数字１の付加されたツメＮ1 のイメージファイル名「ツメ００１」を認識して第１データ格納部３−１からこれらを読み出し、トンボ付き台紙の前記最初のツメの位置に前記数字１の付加されたツメを合成してツメ・トンボ付き台紙を合成し、これに予め決められたイメージファイル名例えば「Ｄ００１」を付加して第２データ格納部３−２に格納する。
【００１５】
それからイメージデータ合成部４は、このツメ・トンボ付き台紙が合成する最終章の番号５まで達しないことを認識して、次に第１データ格納部３−１から、同様にトンボ付き台紙のイメージファイルと数字２の付加されたツメのイメージファイルを読み出し、トンボ付き台紙の第１のツメの位置より前記ピッチだけ離れた位置に数字２の付加されたツメを合成して、これに予め決められた、前記イメージファイル名「Ｄ００１」とは１番多いイメージファイル名「Ｄ００２」を付加して、第２データ格納部３−２に格納する。数字３のツメまでは前記と同様に合成され、格納される。
【００１６】
ところで図１の例では、数字３のツメが合成されるとき、その下方に次のツメを合成する余裕のないことが予め判っているので、この例では前記ツメの折り返し個数３が入力されている。従ってイメージデータ合成部４は、イメージファイル名「ツメ００４」のツメを合成するとき、その位置を前記最初のツメの位置でトンボ付き台紙と合成する。
【００１７】
イメージファイル名「ツメ００５」のツメをトンボ付き台紙と合成し、これを第２データ格納部３−２に格納したとき、イメージデータ合成部４は合成する章の最終番号まで合成処理したことを認識し、合成処理を終了する。
【００１８】
このようにして第２データ格納部３−２に、トンボ付き台紙に章毎に位置の異なるツメを自動的に合成することができる。
なお前記説明では、ツメのイメージファイル名、トンボ付き台紙のイメージファイル名が予め決められたファイル名の付与された例について説明したが、適宜付与することもできる。
【００１９】
【実施例】
本発明の一実施例を図２〜図１１により説明する。図２は本発明のイメージ自動合成装置の一実施例構成図、図３はツメ、トンボ付き台紙及びツメ・トンボ付き台紙説明図、図４はツメの合成状態説明図、図５はツメ・トンボイメージファイル結合用のパラメータ設定画面、図６は文書作成状態及び文書とツメ・トンボ付き台紙合成状態説明図、図７はファイル状態説明図、図８は情報処理装置とプリンタの説明図、図９は本発明の動作状態説明図（その１）、図１０は本発明の動作状態説明図（その２）、図１１は本発明の動作状態説明図（その３）である。
【００２０】
図２において、他図と同一記号は同一部を示し、１は文書データ編集部、２はイメージファイル編集部、３はデータ格納部、４はイメージデータ合成部、５はデータ入力部、６は画面表示部、７は本体制御部である。
【００２１】
文書データ編集部１は、例えばキーボードの如きデータ入力部５から入力されたデータを解読してこれを画面表示部に送出したり保持するものであり、例えばトンボ付き台紙を作る場合、作成画面に対して入力された例えばＡ４というデータを解読してこれを画面表示部６に送出するとともに一時的に保持したり、またツメを作る場合に入力されたツメの縦・横のサイズを解読してこれを画面表示部６に送出するとともに一時保持したり、ツメとトンボ付き台紙を合成する場合、入力された最初のツメの位置やツメのピッチ等を解読してこれを画面表示部６に送出するとともに一時保持するものである。
【００２２】
イメージファイル編集部２は、例えばツメやトンボ付き台紙等のイメージファイルを作成するものであって、文書データ編集部１から保持伝達されたデータに基づきイメージを作成し、これにファイル名を付加してイメージファイルとしてデータ格納部３の、例えば第１データ格納部３−１に格納するものである。
【００２３】
データ格納部３はイメージファイル編集部２で作成されたイメージファイルや、イメージデータ合成部４で作成されたイメージファイルを格納するものであって、例えばイメージファイル編集部２で作成されたイメージファイルを格納する第１データ格納部３−１や、この第１データ格納部３に格納されたイメージファイルを合成して作成されたイメージファイルを格納する第２データ格納部３−２を有するものである。
【００２４】
イメージデータ合成部４は、例えばイメージファイル編集部２により作成され、第１データ格納部３−１に格納されたイメージファイルを合成して新しいイメージファイルを作成するものであり、このイメージデータ合成部４により作成されたイメージファイルは、例えば第２データ格納部３−２に格納される。
【００２５】
データ入力部５は、データをイメージ自動合成装置に入力するものであって例えばキーボードを具備しており、例えば、ツメや、トンボ付き台紙等のイメージファイル作成用のための作成画面を呼び出すキー操作が行われたり、この入力画面に所定のデータを入力するものである。
【００２６】
画面表示部６は、ディスプレイであってデータ入力部５の入力により読み出された、例えばトンボ付き台紙作成画面や、ツメ作成画面や、ツメ・トンボイメージファイル結合用のパラメータ設定画面等を表示したり、これらの入力画面に対して入力データが入力されたとき、このデータを表示して、オペレータが入力したデータが正確か否か確認できるものである。
【００２７】
本体制御部７は本発明のイメージ自動合成装置を制御するものであって、例えばデータ入力部５からの入力に基づきデータ格納部３から入力画面を呼び出したり、第１データ格納部３−１あるいは第２データ格納部３−２に対してイメージファイルを格納したり、格納したイメージファイルを読み出すものである。この外文書作成や文書の編集制御等を行うものである。
【００２８】
本発明では、初めにツメまたはトンボ付き台紙のイメージファイルを作成する。ツメまたはトンボ付き台紙のイメージファイルのいずれが先に作成されてもよいか、以下の説明では、まずトンボ付き台紙のイメージファイルを作成する場合について説明する。
【００２９】
イメージファイル編集部２の機能の１つにトンボ付き台紙作成機能やツメ作成機能があるが、このうちトンボ付き台紙作成機能は、図３（Ａ）のトンボ付き台紙Ｔを作成するものであり、データ入力部５から所定のキーを操作すればトンボ付き台紙のイメージファイル作成用のパラメータ設定画面が本体制御部７によりデータ格納部３から読み出され、画面表示部６に表示される。
【００３０】
オペレータは、作成画面であるこのパラメータ設定画面の設定事項に従ってパラメータとして台紙サイズＡ４を入力する。これにより、Ａ４が画面表示部６に表示されるので、これを確認して実行キーを押せば、文書データ編集部１がＡ４を解読してこれをイメージファイル編集部２にＡ４を通知する。
【００３１】
これにより、イメージファイル編集部２が、Ａ４のサイズの台紙の所定位置に４個のセンター用のトンボと４個の隅用のトンボが記入された図３（Ａ）に示す如き、トンボ付き台紙Ｔのイメージを作成する。そしてこれに前もって決定されたイメージファイル名「Ａ４トンボ」を付加する。そしてこのトンボ付き台紙Ｔのイメージがそのファイル名「Ａ４トンボ」とともに、第１データ格納部３−１に格納される。
【００３２】
オペレータは次に、図３（Ａ）に示す右ページ用ツメＮ、左ページ用ツメＮ′を作成するため、データ入力部５から所定のキーを操作してツメ作成用のパラメータ設定画面を本体制御部７によりデータ格納部３から読み出し、画面表示部６に表示する。
【００３３】
オペレータは、このツメ作成用のパラメータ設定画面の設定事項に従って、パラメータとしてツメの縦横のサイズ、網掛け処理の有無、右ページか左ページかを示す指示・章を示す数字を入力する。この章を示す数字は、印刷ずみの用紙が切り畳まれ裁断されたとき、その章を示す数字が残るように中心より少し内側に位置するように位置決めされている。例えば右ページ用ツメは、図１に示すＮ1 〜Ｎ5 に示す如き位置に記入される。
【００３４】
このように作成されたツメのイメージに予め決定された、章に対応したイメージファイル名「右ツメ００１」〜「右ツメ００５」、「左ツメ００１」〜「左ツメ００５」とともに第１データ格納部３−１に格納する。
【００３５】
このようにしてトンボ付き台紙Ｔと章に対応した数字の記入された右ページ用ツメＮ、左ページ用ツメＮ′のそれぞれのイメージファイルが第１データ格納部３−１に格納されたあと、オペレータはトンボ付き台紙Ｔにツメを順次合成してツメ・トンボ付き台紙Ｄを作成する。
【００３６】
このため、オペレータは、データ入力部５から所定のキーを操作して、図５に示す如き、ツメ・トンボイメージファイル結合用入力画面を本体制御部７によりデータ格納部３から読み出し、画面表示部６に表示する。
【００３７】
オペレータはこのツメ・トンボイメージファイル結合用入力画面に従って下記の如きパラメータを入力する。
トンボ用イメージデータの合成、ツメ用イメージデータの合成の項の設定部分にそれぞれ１を記入する。またマニアルのサイズの項には、Ａ４の台紙に対してＢ５のマニアルを作成するケースであるからＢ５を示す１を記入する。
【００３８】
またＡ４サイズの台紙とＢ５サイズのマニアルとが、図４に示す状態にあるとき、ツメ・トンボ用イメージデータの最初のツメの位置の項の「上端から」の項目のデータｄ４には、図４の▲１▼の長さを記入する（図４の２つの▲１▼は同一である）。
【００３９】
そして「左ページ左端から」の項目のデータｄ５には、図４の▲２▼の長さを記入し、また「右ページ左端から」の項目のデータｄ６には、図４の▲３▼の長さを記入する。ツメのピッチの項目のデータｄ７には、図４の▲４▼の長さを記入する。そして、ツメの折り返し個数の項目のデータｄ８には、図１に示す例では数字３を記入する。
【００４０】
また合成する章の開始番号としては、最初から合成するときは数字１を記入するが、途中まで合成ずみの場合、例えば０１章と０２章のツメ・トンボ付き台紙のイメージファイルが合成ずみのときは、次の０３章を示す数字３を記入する。合成する章の番号としては、最初から最後まで合成するときは、初めの０１章を示す数字１〜最終章の数字例えば５を記入するが、途中まで合成ずみの場合は、次の章の数字〜最終章の数字を記入する。
【００４１】
このようにして、図５に示す如きツメ・トンボイメージファイル結合用入力画面に、データ入力部５から所定のパラメータを入力した後に実行キーを押せば、前記の如く、この結合すべきイメージファイル名が予め決められているため、イメージデータ合成部４はトンボ付き台紙のイメージファイル名「Ａ４トンボ」により第１データ格納部３−１から、Ａ４サイズのトンボ付き台紙のイメージデータを読み出し、またイメージファイル名「右ツメ００１」により右ページ０１章用のツメのイメージデータを読み出す。
【００４２】
そしてイメージデータ合成部４は、図５に対して設定されたトンボ付き台紙の右ページの最初のツメの位置にこの右ページ０１章用のツメＮ1 を配置する。これにより、図３に示す如き、右ページ０１章用ツメ・トンボ台紙Ｄ1 のイメージが合成される。なお前記Ａ４サイズのトンボ付き台紙のイメージデータはイメージデータ合成部４に保持される。
【００４３】
イメージデータ合成部４は、このようにして合成された右ページ０１章用ツメ・トンボ台紙Ｄ1 のイメージに予め決められたイメージファイル名「００１」を付けて、第２データ格納部３−２に格納する。
【００４４】
次にイメージデータ合成部４は、イメージファイル名「左ツメ００１」により、第１データ格納部３−１から左ページ０１章用のツメのイメージを読み出し、すでに保持しているトンボ付き台紙の左ページの最初のツメの位置にこの左ページ０１章用のツメＮ1 ′を配置する。これにより図３に示す如き、左ページ０１章用ツメ・トンボ台紙Ｄ1 ′のイメージが合成される。
【００４５】
イメージデータ合成部４は、このようにして合成された左ページ０１章用ツメ・トンボ台紙Ｄ1 ′のイメージに、予め決められたイメージファイル名「００２」を付けて、第２データ格納部３−２に格納する。
【００４６】
それからイメージデータ合成部４は、イメージファイル名「右ツメ００２」により、第１データ格納部３−１から右ページ０２章用のツメのイメージを読み出し、すでに保持しているトンボ付き台紙の所定の位置にこれを配置する。この場合、０２章用のツメであるので、０１章用のツメの位置から、前記ツメのピッチだけ下方の位置にこの右ページ０２章用のツメを配置し、このように合成された右ページ０２章用ツメ・トンボ台紙Ｄ2 のイメージに、予め決められたイメージファイル名「００３」を付けて、第２データ格納部３−２に格納する。
【００４７】
同様にして作られた左ページ０２章用ツメ・トンボ台紙Ｄ2 ′のイメージに予め決められたイメージファイル名「００４」が付けられ、格納される。このようにして０３章用の右ページ、左ページ用のツメ・トンボ台紙のイメージが予め決められたイメージファイル名「００５」、「００６」とともに第２データ格納部３−２に格納される。
【００４８】
そしてイメージデータ合成部４は、右ページ０４章用ツメ・トンボ台紙を作るとき、ツメの折り返し個数が３であることを認識し、第１データ格納部３−１から読み出した０４章用のツメのイメージを０１章用のツメと同じ位置つまり最初のツメの位置に配置し、イメージファイル名「００７」を付けて第２データ格納部３−２に格納する。
【００４９】
このようにしてイメージデータ合成部４は、右ページ０５章用ツメ・トンボ台紙、左ページ０５章用ツメ・トンボ台紙の各イメージを作り、同様にイメージファイル名「００９」、「０１０」を付けられ第２データ格納部３−２に格納したとき、合成する章の番号が５であることを認識し、このトンボ付き台紙にツメを合成する処理を終了する。このようにして第２データ格納部３−２に、図１に示す如き、ツメ・トンボ台紙Ｄ1 〜Ｄ5 （左ページ用のものについては図示省略）が格納される。
【００５０】
版下を作成する場合、このようにして作成されたツメ・トンボ台紙に文書を記入することが必要である。次にその手法について説明する。Ａ４のツメ・トンボ台紙に、文書を記入する場合、この文書のサイズは通常はＢ５である。勿論Ｂ５より小さいものでも刷下作成は可能であるが、以下はＢ５の例について説明する。
【００５１】
まず文書作成するとき、図６（Ａ）に示す如く、Ａ４の用紙２０を１ページとし、その上下左右に余白部分をａ、ｂ、ｃ、ｄを設けてＡ４の用紙２０の中央のＢ５サイズの領域２１に文書を作成する。このａ、ｂ、ｃ、ｄの余白長は予めオペレータが計算で求めておく。そして各章の初めは必ず改頁しておく。
【００５２】
このようにフォーマット調整することにより各章毎に１つの文書として構成された、Ａ４の用紙２０の中央のＢ５サイズの領域２１に文書を記入することができる。このようにして本体制御部７はデータ入力部５からの入力により例えば０１章〜０５章の文書を作成し、０１章の文書には例えば０１章という文書名を付し、０５章の文書には０５章という文書名を付して、これらを第２データ格納部３−２に格納する。
【００５３】
この文書データを書き込むとき、作成された文書の章の数及び章毎のページ数が本体制御部７で認識されていること、及びツメ・トンボ台紙と文書を合成する場合、文書の記入されたＡ４の用紙の１行目１桁目を基準位置Ｓ1 にしてツメ・トンボ台紙の基準位置Ｓ0 （１行目１桁目）と一致させて合成するように事前に決定しておき、これまた本体制御部７が認識しているので、本体制御部７は、前記の如くＡ４の用紙に記入された文書データをデータ格納部３に格納する場合、図７に示す如き管理情報ＭＧを作成して一緒に記入する。
【００５４】
この例は文書が０１章〜０５章まで存在し、０１章は４頁〜０５章は３頁で構成される例を示す。そして０１章目の第１ページは右ページのため、イメージファイル名「００１」と合成し、第２ページは左ページのためイメージファイル名「００２」と合成し、第３ページは右ページのためイメージファイル名「００１」と合成し、第４ページは左ページのためイメージファイル名「００２」と合成することを示している。
【００５５】
そして、この文書をＡ４のツメ・トンボ台紙に記入する場合、先ず０１章の文書を頁順にイメージファイル名「００１」、「００２」のイメージファイルと合成する。
【００５６】
即ちイメージデータ合成部４は、ファイル名０１章の文書の第１頁を前記「００１」と合成する。これにより右ツメ・トンボ００１のイメージの中央Ｂ５領域部分に０１章の第１頁の文書が記入された形で第１頁の文書のイメージと、右ツメ・トンボ００１のイメージとが合成される。イメージデータ合成部４は、これに例えば文書のファイル名と同じファイル名「０１章００１」を付けてデータ格納部３に格納する。
【００５７】
このとき、管理情報ＭＧ、文書データ、ツメ・トンボ台紙等の入力側のデータを図８に示す入力ドライブＡ側のフロッピィディスクに格納しておき、ツメ・トンボ台紙に文書を合成した新しいファイルを、データ格納部３を構成する出力ドライブＢ側のフロッピィディスクに格納する。このように入力側と出力側のデータ保持手段を別にすることにより、同じファイル名を付けても混乱はない。
【００５８】
次にイメージデータ合成部４は文書の０１章の第２頁を前記「００２」と合成する。これにより左ツメ・トンボ００１のイメージの中央Ｂ５領域部分に０１章の第２頁の文書が記入された形で０２頁の文書のイメージと、左ツメ・トンボ００１のイメージとが合成される。イメージデータ合成部４は、これに文書のファイル名と同じファイル名「０１章００２」を付けてデータ格納部３に格納する。
【００５９】
このように０１章の奇数頁を前記「右ツメ・トンボ００１」と合成し、偶数頁を前記「左ツメ・トンボ００１」と合成し、順次０１章の版下が合成される。そして０１章の第４頁まで版下が合成される。
【００６０】
そしてイメージデータ合成部４が次に管理情報ＭＧを読み出したとき、今度は０２章の文書である０２章の第１頁とイメージファイル名「００３」の０２章用の右ツメ・トンボ台紙とを合成する。そしてこれにイメージファイル名「０２章００１」を付けて、データ格納部３に格納する。次にイメージデータ合成部４は、文書の０２章の第２頁とイメージファイル名「００４」の０２章用の左ツメ・トンボ台紙とを合成し、これにイメージファイル名「０２章００２」を付けてデータ格納部３に格納する。
【００６１】
このようなことが各章毎に順次行われる。そして、図７の例では文書の０５章の第３頁とイメージファイル名「００９」の０５章用の右ツメ・トンボ台紙とが合成され、これがデータ格納部３に格納されたとき、刷下用データの合成が終了する。
【００６２】
このようにして得られた文書とツメ・トンボ台紙が合成された版下用データは、図８に示す如き、プリンタ１１により印刷出力される。プリンタ１１は、例えばパーソナルコンピュータやワードプロセッサの如き情報処理装置１０に接続されている。
【００６３】
例えば情報処理装置１０の出力ドライブＢ側のフロッピィに格納された前記刷下用データは、章順に、ページ順に読み出されてプリンタ１１に送出される。このとき、プリンタ１１には、Ａ４の用紙２０の中央部分の領域２１に文書が記入されていることが認識されているので、識別処理部１２は、これにより受信データを文字コードが、ツメ・トンボ等のイメージ部分かを識別する。
【００６４】
そして文字コードについては文字展開部１３に送出して文字パターンに変換し、イメージ部分についてはイメージ展開部１４に送出してツメ・トンボ等のイメージパターンに変換し、これらをオア論理部１５でオア論理により合成し、ページメモリ１６に記入し、１頁毎の出力データを作成する。そしてこのページメモリ１６を走査してその出力に基づきレーザ変調部１７を制御し、変調したレーザ光により図示省略した静電ドラムに印刷用のデータを記入し、これを版下用の用紙上に出力して、版下を得る。
【００６５】
図２に示す本発明の一実施例構成の動作を、図９〜図１１に従って説明する。初めに図９に示す如く、トンボ付き台紙及びツメを作る。Ｂ５のマニアルを作るとき、Ａ４の版下が必要であるので、この例について説明する。
【００６６】
（１）オペレータは、データ入力部５から所定のキーを操作し、トンボ付き台紙のイメージファイル作成用のパラメータ設定画面を呼び出す。このキー操作に基づき本体制御部７がデータ格納部３より、前記パラメータ設定画面を読み出し、これを画面表示部６に表示する。オペレータは、このパラメータ設定画面に対し、パラメータとしてデータ入力部５よりサイズＡ４を入力する。
【００６７】
この入力Ａ４が画面表示部６に表示されるので、オペレータはこれを確認後実行キーを操作する。これにより、設定値Ａ４が文書データ編集部１により解読されてイメージファイル編集部２に伝達されるので、イメージファイル編集部２はデータ格納部３よりトンボ付き台紙の基本イメージを読み出して、これによりＡ４のトンボ付き台紙Ｔを作成し、前もって決定されたイメージファイル名「Ａ４トンボ」を付加し、第１データ格納部３−１に格納する。
【００６８】
（２）次にオペレータは、マニアルの章の数に応じたツメの個数ｎを決める。マニアルの章の数が５の場合、ｎ＝５×２（右頁用、左頁用）＝１０とする。それからオペレータは、データ入力部５から所定のキーを操作し、ツメ作成用のパラメータ設定画面を呼び出す。このキー操作により、本体制御部７がデータ格納部３より、このツメ作成用のパラメータ設定画面を読み出し、これを画面表示部６に表示する。
【００６９】
オペレータはこのパラメータ設定画面に対し、先ずツメの全体個数ｎ＝１０を入力し、次にツメの縦、横のサイズ及びアミ掛け処理（横線、縦線等）の有無等を入力し、それから「右」を入力する。そして数字１を入力すると、これらのパラメータが文書データ編集部１で解読され、これに応じてイメージファイル編集部２が、入力した縦横サイズのツメに、アミ掛け処理（有の場合）され、ツメの中心位置より左側に数字１がイメージ展開された０１章右ページ用のツメを作成し、これが画面表示部６のパラメータ設定画面の下方の余白部分に表示される。
【００７０】
オペレータがこれを確認後、実行キーを押せば、イメージファイル編集部２は、この０１章右ページ用のツメに予め決められていたイメージファイル名「右ツメ００１」を付加して第１データ格納部３−１に格納する。このとき、作成されたツメのイメージファイル数１であり、前記ツメ全体の個数１０とは一致せず、ツメの表示は消去され、図示省略したカウンタは＋１される。
【００７１】
次にオペレータは、前記パラメータ値が設定された状態のパラメータ設定画面に対し左を入力すれば、イメージファイル編集部２は、今度はツメの中心位置から右側に数字１がイメージ展開された、同様の０１章左ページ用のツメを作成し、これが表示される。オペレータがこれを確認後実行キーを押せば、イメージファイル編集部２は、この０１章左ページ用のツメに予め決められていたイメージファイル名「左ツメ００１」を付加して第１データ格納部３−１に格納し、同時に表示していたツメの表示を消去し、カウンタは＋１されて２となる。
【００７２】
それからオペレータは、前記パラメータ値が設定された状態のパラメータ設定画面に対し右を入力し数字２を入力すれば、イメージファイル編集部２はツメの中心位置から左側に数字２がイメージ展開された、同様の０２章右ページ用のツメを作成し、これが表示される。オペレータがこれを確認後実行キーを押せば、イメージファイル編集部２は、この０２章右ページ用のツメに予め決められていたイメージファイル名「右ツメ００２」を付加して第１データ格納部３−１に格納し、同時に表示していたツメの表示を消去し、カウンタは＋１され３となる。
【００７３】
このようなことが順次行われて、０５章の左ページ用のツメが作成され、これが表示され、予め決められていたイメージファイル名「左ツメ００５」を付加して第１データ格納部３−１に格納され、同時に表示していたツメの表示を消去し、ｎ＝１０となる。これによりイメージファイル編集部２は作成されたツメのイメージファイル数がツメの個数と一致したことを認識し、ツメの作成動作が終了する。このようにして１ケのトンボ付き台紙と、必要個数のツメが、それぞれ所定のイメージファイル名を付加されて、第１データ格納部３−１に格納される。
【００７４】
（３）今度は、トンボ付き台紙にツメを合成するため、オペレータはデータ入力部５から所定のキーを操作し、図５に示す如き、ツメ・トンボイメージファイル結合用のパラメータ設定画面を呼び出す。このキー操作に基づき本体制御部７がデータ格納部３より前記パラメータ設定画面を読み出し、これを画面表示部６に表示する。そしてこれにデータ入力部５から必要なデータを設定する。
【００７５】
ツメのイメージファイルと、トンボ付き台紙のイメージファイルを結合するとき、データｄ1 、ｄ2 にそれぞれ「１」を記入し、この例ではマニアルのサイズがＢ５であるので、データｄ3 に「１」を記入する。そして、データｄ4 には、図４に示す▲１▼を、データｄ5 には▲２▼を、データｄ6 には▲３▼を、データｄ7 には▲４▼を記入する。
【００７６】
またこの例では、図１に示す如く、ツメの折り返し個数は３であるのでデータｄ8 には３を記入する。そして合成する章の開始番号が０１章のときデータｄ9 として１を記入し、合成する章の番号が０１章〜０５章のとき、データｄ10として１を、データｄ11として５をそれぞれ記入する。また、図８に示す如く、文書ドライブとして情報処理装置１０の本体側文書Ａ、Ｂを使用する場合には、データｄ12として１を記入する。これによりデータｄ13にＡが、データｄ14にＢが自動記入される。
【００７７】
しかし文書ドライブとして図８に示す増設側文書Ｋ、Ｌを使用するとき、データｄ12として２を記入し、ｄ13〜ｄ14にＫまたはＬを記入する。なお図示省略したがディスク文書を使用するときデータｄ12に３を記入し、ｄ13、ｄ14にもぞれぞれディスク文書に対応したデータを記入する。なお、トンボなしでツメのみの場合には、データｄ1 ＝０、ｄ2 ＝１を記入する。これらのパラメータの各設定値は画面表示部６に表示され、オペレータにより確認される。
【００７８】
（４）この確認後オペレータが実行キーを押せば、これらの設定値は文書データ編集部１で解読され、イメージデータ合成部４に伝達される。さらに文書データ編集部１はトンボ付き台紙のイメージファイル名「Ａ４トンボ」と前記ツメのイメージファイル名「右ツメ００１」、「左ツメ００１」〜「右ツメ００５」、「左ツメ００５」を伝達する。またツメの個数１０も伝達する。これによりイメージデータ合成部４では合成すべき対象のツメの数が１０であることをセットする。
【００７９】
（５）イメージデータ合成部４は、先ずイメージファイル名「Ａ４トンボ」により第１データ格納部３−１からトンボ付き台紙Ｔを読み出し、次にイメージファイル名「右ツメ００１」により同じく第１データ格納部３−１から０１章右ページ用のツメＮ1 を読み出し、前記入力されたパラメータにしたがって、ツメＮ1 を所定の位置に置き、オア論理により合成して０１章右ページ用のツメ・トンボ台紙Ｄ1 を作り、予め決められたイメージファイル名「００１」を付加して第２データ格納部３−２に格納する。このとき作成されたツメ・トンボ台紙数は１であり、前記合成対象のツメの個数１０とは一致せず、図示省略したカウンタを＋１とする。
【００８０】
次にイメージ合成部４は、イメージファイル名「左ツメ００１」により、第１データ格納部３−１から０１章を左ページ用のツメＮ1 ′を読み出し、トンボ付き台紙Ｔに対して前記入力されたパラメータにしたがって、ツメＮ1 ′をトンボ付き台紙Ｔの所定の位置に置き、オア論理により合成して０１章左ページ用のツメ・トンボ台紙Ｄ1 ′を作り、予め決められたイメージファイル名「００２」を付加して第２データ格納部３−２に格納する。
【００８１】
このとき作成されたツメ・トンボ台紙数は１であり、前記合成対象のツメの個数１０とは一致せず、図示省略したカウンタを＋１とする。
このようにして、イメージデータ合成部４は、０２章右ページ用のツメ・トンボ台紙、０２章左ページ用のツメ・トンボ台紙・・・を順次合成し、同様にイメージファイル名「００３」、「００４」・・・を付加して第２データ格納部３−２に格納する。そして０５章左ページ用のツメ・トンボ台紙を合成し、これにイメージファイル名「０１０」を付加して第２データ格納部３−２に格納したとき、合成されたイメージファイル数がツメの個数と一致するので、このトンボ付き台紙にツメを合成する処理を終了する。
【００８２】
（６）オペレータは、前記の如く作成されたツメ・トンボ台紙に記入すべき文書を下記のように作成する。この文書の作成は、当然のことながら、ツメ・トンボ台紙を作成してから行ってもよいが、事前に作成してもよい。
【００８３】
文書の作成に際しては、図６について説明したように、例えばＢ５版のマニアルを作成する場合、Ａ４の用紙２０の中央部分のＢ５サイズの領域２１に文書を文字コードで入力する。一文書内では、文書量が非常に大きくならない限り１文章のみとし、０１章、０２章、０３章・・・と章毎に文書番号を付与し、改頁する。従って版下用の文書は、０１章の文書、０２章の文書・・・という状態で、前記の如く、Ａ４の用紙の中央部分のＢ５の領域で作成される。
【００８４】
ところで、前記の如く、ツメ・トンボ台紙のイメージファイル名及び文書番号は予め決められた既知のものであり、また合成基準位置も予め決められているため、本体制御部７が文書データを第２データ格納部３−２に格納するとき、図７に示す如く管理情報ＭＧを作成して格納する。
【００８５】
この管理情報ＭＧには、文書の各章の各頁に対して使用されるべきイメージファイル名と、文書の合成基準位置が記入されている。なお、ツメ・トンボ台紙の合成基準位置Ｓ0 は、図６（Ｂ）に示す如く、予め決められている（例えば１行１桁目）。図７では、前記合成基準位置Ｓ0 と同じく、文書側の合成基準位置Ｓ1 は、Ａ４の用紙における１行１桁目である。
【００８６】
この管理情報により、０１章００１頁の文書は、イメージファイル名００１（０１章右ページ用のツメ・トンボ台紙）のイメージと合成され、０１章００２頁の文書はイメージファイル名００２（０１章左ページ用のツメ・トンボ台紙）のイメージと合成される。そして０５章００１頁の文書はイメージファイル名００９（０５章右ページ用のツメ・トンボ台紙）のイメージと合成され、０５章００２頁の文書はイメージファイル名０１０（０５章左ページ用のツメ・トンボ台紙）のイメージと合成されることが指示される。
【００８７】
（７）オペレータは、図７に示す管理情報ＭＧ、文書データ、イメージファイル等の格納されているフロッピィディスクを、図８に示す情報処理装置１０の入力ドライブＡ側にセットし、出力ドライブＢ側に別のフロッピィディスクをセットする。そして版下作成用処理を実行する。これによりイメージデータ合成部４は、管理情報ＭＧを読み取り、文書番号０１章００１とイメージファイル名００１のイメージを合成する。これにより図６（Ｂ）に示す刷下２２が得られる。イメージデータ合成部４はこれに文書番号と同じイメージファイル名０１章００１を付加し、データ格納部３に格納する。
【００８８】
それから、文書番号０１章００２とイメージファイル名００２、文書番号０１章００３とイメージファイル名００１・・・文書番号０５章００２とイメージファイル名０１０、文書番号０５章とイメージファイル名００９との合成が順次行われ、このようにして版下用文書にツメ・トンボ台紙のイメージを全ページにわたり付与し、版下用のデータが順次データ格納部３に格納される。そして図８に示す出力ドライブＢ側にセットされたフロッピィディスクにこの版下用のデータが記入される。
【００８９】
（８）それから、情報処理装置１０は、プリンタ１１にこの版下用データを送り、実際に版下を印刷出力する。
なお、前記説明ではトンボ付き台紙にツメを自動的に合成する例について説明したが、本発明ではこれに限定されず、トンボなしの台紙を使用してツメを自動的に合成することもできる。
【００９０】
また、トンボ付き台紙のイメージファイル名及びツメのイメージファイル名を予め概知のものとして説明したが、勿論適宜設定することができる。
前記説明では章毎に１文書とした例について説明したが、章の内容が長い場合、これを分割すること、例えば０２章その１、０２章その２というような形にすることもできる。
【００９１】
このように本発明ではツメを自動的に合成することができるので、ツメを人手により貼付ける場合に比較して版下編集を短時間で行うことができる。
しかもツメ付き台紙、或いはツメ・トンボ付き台紙に文書を自動的に合成することができるので、文書を台紙に人手により貼付ける場合に比較して、版下編集を非常に短時間で行うことができる。
【００９２】
【発明の効果】
請求項１に記載された本発明によれば版下編集用のツメ付き台紙を自動的に合成することができるので、従来のように台紙にツメを手で貼り合せる場合に比較して、版下編集を短時間で行うことができる。
【００９３】
請求項２に記載された本発明によれば、版下編集用のツメ・トンボ付き台紙を自動的に合成することができるので、従来のようにトンボ付き台紙にツメを手で貼り合せる場合に比較して、版下編集を短時間で行うことができる。
【００９４】
請求項３に記載された本発明によれば、ツメ付き台紙に文書を順次自動的に合成することができるので、台紙に文書を手で貼り合せる場合に比較して版下編集を非常に短時間に行うことができる。
【００９５】
請求項４に記載された本発明によれば、管理データを参照して合成すべき文書とそれに適用するツメ付き台紙を認識することができるので、ツメ付き台紙に文書を手で貼り合せる場合に比較して、非常に正確に、しかも非常に短時間でツメ付き台紙を使用した版下編集を行うことができる。
【００９６】
請求項５に記載された本発明によれば、管理データを参照して合成すべき文書とそれに適用するツメ・トンボ付き台紙を認識することができるので、ツメ・トンボ付き台紙に文書を手で貼り合せる場合に比較して、非常に正確に、しかも非常に短時間でツメ・トンボ付き台紙を使用した版下編集を行うことができる。
【図面の簡単な説明】
【図１】本発明の原理説明図である。
【図２】本発明の一実施例構成図である。
【図３】版下編集に使用するツメ・トンボ付き台紙及びツメ・トンボ付き台紙の説明図である。
【図４】ツメと台紙の合成状態説明図である。
【図５】ツメ・トンボイメージファイル結合用のパラメータ設定画面である。
【図６】文書作成状態及び文書とツメ・トンボ付き台紙合成状態説明図である。
【図７】ファイル状態説明図である。
【図８】情報処理装置とプリンタの説明図である。
【図９】本発明の動作状態説明図（その１）である。
【図１０】本発明の動作状態説明図（その２）である。
【図１１】本発明の動作状態説明図（その３）である。
【図１２】従来例説明図である。
【符号の説明】
１  文書データ編集部
２  イメージファイル編集部
３  データ格納部
４  イメージデータ合成部
５  データ入力部
６  画面表示部
７  本体制御部
１０  情報処理装置
１１  プリンタ
１２  識別処理部
１３  文字展開部
１４  イメージ展開部
１５  オア論理部
１６  ページメモリ
１７  レーザ変調部
８０  台紙
【図１】
0003665381.tif 000002
【図２】
0003665381.tif 000003
【図３】
0003665381.tif 000004
【図４】
0003665381.tif 000005
【図５】
0003665381.tif 000006
【図６】
0003665381.tif 000007
【図７】
0003665381.tif 000008
【図８】
0003665381.tif 000009
【図９】
0003665381.tif 000010
【図１０】
0003665381.tif 000011
【図１１】
0003665381.tif 000012
【図１２】
0003665381.tif 000013